(57)【要約】      （修正有）【課題】暖気流をかご室内の全体に行き渡らせることができるエレベータのかごを得る。【解決手段】換気装置２は、かご室本体１内の空気をかご天井部１ｄに設けられた吸入口１ｇから吸入し、暖房機器４へと気流として排出する。暖房機器４は、換気装置２から受けた気流を暖気流に変化させて、第１の側面部１ａ外部に固着された供給流路形成部材５により形成された供給流路５ａを介して、第１の側面部１ａ下部に設けられた吹出口１ｈから暖気流を吹き出す。【選択図】図１
2007008605.tif 000002
【特許請求の範囲】
【請求項１】
下部に吹出口が設けられている複数の側壁を有するかご室本体、
上記かご室本体内の空気を吸入し気流を排出する換気手段、
上記換気手段からの気流を暖めて暖気流とする暖房手段、及び
上記側壁の外部に設けられ、上記暖房手段からの暖気流を上記吹出口へ導く供給流路を形成する供給流路形成部材
を備えていることを特徴とするエレベータのかご。
【請求項２】
上記供給流路形成部材は、上記側壁とともに断面台形状の上記供給流路を形成しており、上記側壁を補強する補強部材を兼ねていることを特徴とする請求項１に記載のエレベータのかご。
【請求項３】
上記供給流路形成部材の外側には、断熱部材が固着されていることを特徴とする請求項１又は請求項２に記載のエレベータのかご。
【請求項４】
上記供給流路を通過する暖気流が上記かご室本体の床面に向けて吹き出されるように上記吹出口が設けられていることを特徴とする請求項１〜請求項３のいずれかに記載のエレベータのかご。
【請求項５】
上記側壁の下部には、吸入口が設けられており、上記側壁の外側には、上記吸入口から上記換気手段への空気流路である吸入流路を形成する吸入流路形成部材が設けられていることを特徴とする請求項１〜請求項４のいずれかに記載のエレベータのかご。
【請求項６】
上記吸入流路形成部材は、上記側壁とともに、断面台形状の吸入流路を形成しており、上記側壁を補強する補強部材を兼ねていることを特徴とする請求項５に記載のエレベータのかご。
【請求項７】
複数の上記供給流路と複数の上記吸入流路とが、交互に配置されていることを特徴とする請求項５又は請求項６に記載のエレベータのかご。
【発明の詳細な説明】
【技術分野】
【０００１】
この発明は、かご室本体内に暖気流を供給するための暖房装置を有するエレベータのかごに関するものである。
【背景技術】
【０００２】
従来のエレベータのかごでは、かごの天板上面に空調装置が設置され、この空調装置からの空調エアが、かご側面部に複数設けられた吹出口からかご内に吹き出される。また、空調装置は、ダクトを介して吹出口に接続されている（例えば、特許文献１参照）。
【０００３】
【特許文献１】特開２００３−１０４６６２号公報
【発明の開示】
【発明が解決しようとする課題】
【０００４】
上記のような従来のエレベータのかごでは、かご室内が混雑すると、吹出口から出た空調エアが、吹出口付近の乗客により遮断され、かご室内の中心部にいる乗客に対して空調エアを十分に供給できないことがあった。
【０００５】
この発明は、上記のような課題を解決するためになされたものであり、かご室内が混雑しているときでも、暖気流をかご室内の全体に行き渡らせることができるエレベータのかごを得ることを目的とする。
【課題を解決するための手段】
【０００６】
この発明に係るエレベータのかごは、下部に吹出口が設けられている複数の側壁を有するかご室本体、上記かご室本体内の空気を吸入し気流を排出する換気手段、上記換気手段からの気流を暖めて暖気流とする暖房手段、及び上記側壁の外部に設けられ、上記暖房手段からの暖気流を上記吹出口へ導く供給流路を形成する供給流路形成部材を備えている。
【発明の効果】
【０００７】
この発明のエレベータのかごは、換気手段と暖房手段とにより、かご室本体内の空気を吸入し暖気流として、供給流路を介して側壁下部に設けられた吹出口から暖気流を吹き出す。暖気流は、かご室本体内に拡がりかご室本体内の空気を暖めつつかご室本体内を上昇するので、かご室本体内が混雑しているときでも、暖気流をかご室本体内の全体に行き渡らせることができる。
【発明を実施するための最良の形態】
【０００８】
以下、この発明を実施するための最良の形態について、図面を参照して説明する。
実施の形態１．
図１は、この発明の実施の形態１によるエレベータのかご室の断面図である。図において、かご室本体１は、側壁、天井部１ｄ及びかご床１ｅを有している。側壁は、第１の側面部１ａ、第２の側面部１ｂ、前面部（図示せず）及び背面部１ｃを含んでいる。第１の側面部１ａ、第２の側面部１ｂ及び背面部１ｃとかご床１ｅとの間には、側壁台座１ｆが設けられている。
【０００９】
天井部１ｄには、吸入口１ｇが設けられている。第１の側面部１ａの下部には、吹出口１ｈが設けられている。天井部１ｄ上には、かご室本体１内の空気を吸入し気流を排出する換気手段としての換気装置２が設けられている。換気装置２は、チューブ状の吸入中継ダクト３を介して吸入口１ｇに接続されている。また、天井部１ｄ上には、暖房手段としての暖房機器４が設けられている。暖房機器４は、換気装置２に接続されており、換気装置２からの気流を暖めて暖気流を発生する。
【００１０】
第１の側面部１ａの外側には、供給流路形成部材５が固着されている。供給流路形成部材５は、かご室本体１の側壁の補強部材を兼ねている。供給流路形成部材５により、複数の供給流路５ａそれぞれが互いに間隔を置いて、垂直方向に形成されている。供給流路５ａは、暖房機器４からの暖気流を吹出口１ｈへ導く空気流路である。複数の供給流路５ａは、チューブ状の複数の供給中継ダクト６を介して暖房機器４にそれぞれ接続されている。
【００１１】
図２は、図１の供給流路５ａを示す拡大図である。図において、供給流路５ａの上端及び下端は、蓋７により閉塞されている。供給流路形成部材５の上部には、ダクト吸入口５ｂが設けられている。ダクト吸入口５ｂは、供給中継ダクト６から供給流路５ａへの空気流路である。供給流路形成部材５のダクト吸入口５ｂの開口部の外側には、筒状の取付部材９が固着されている。供給中継ダクト６の供給流路５ａ側の端部は、取付部材９に嵌合されている。
【００１２】
図３は、図１のＩＩＩ−ＩＩＩ線に沿う断面図である。図において、供給流路形成部材５は、第１の側面部１ａに接合された平板状の複数の取付部５ｃと、取付部５ｃ間に折り曲げ形成された複数のダクト部５ｄとを有している。ダクト部５ｄと第１の側面部１ａとにより、各供給流路５ａが断面台形状に形成されている。供給流路形成部材５の外側には、複数の断熱部材１０が固着されている。
【００１３】
次に、動作について説明する。起動スイッチ（図示せず）を操作することにより、換気装置２及び暖房機器４が始動され、換気装置２は、吸入中継ダクト３を介して、吸入口１ｇからかご室本体１内の空気を吸入する。そして、換気装置２は、吸入した空気を気流として暖房機器４へと排出する。換気装置２から気流を受けた暖房機器４は、気流を加熱して暖気流を生じさせる。
【００１４】
暖房機器４から生じた暖気流は、供給中継ダクト６と供給流路５ａとを介して、吹出口１ｈからかご室本体１内の下部へと吹き出される。吹き出された暖気流は、かご室本体１内に拡がり、かご室本体１内の空気と混合されることによりかご室本体１内の空気を暖める。そして、暖められたかご室本体１内の空気は、かご室本体１内を上昇し、再び吸入口１ｇから吸入される。
【００１５】
上記のようなエレベータのかごでは、第１の側面部１ａの下部に設けられた吹出口１ｈから暖気流がかご室本体１に吹き出されることにより、かご室本体１内の下方から上方へと暖気流の流れが形成される。このため、かご室本体１内が混雑しても、暖気流の流れを乗客に遮断されにくくすることができ、暖気流をかご室本体１内の全体に行き渡らせることができる。
【００１６】
また、供給流路５ａは、台形状の空気流路であり第１の側面部１ａに接する面積が広い。このため、暖気流は、供給流路５ａを通過することにより壁面暖房として第１の側面部１ａを暖めるので、第１の側面部１ａに触れた乗客を不快に感じさせにくくすることができる。
【００１７】
さらに、断熱部材１０は、昇降路（図示せず）及び外気からの温度の干渉を軽減するので、かご室本体１の空気の保温効果を得ることができる。
【００１８】
実施の形態２．
図４は、この発明の実施の形態２によるエレベータのかご室を示す断面図である。図において、第２の側面部１ｂの下部には、吸入口１ｇが設けられている。第２の側面部１ｂの外側には、吸入流路形成部材８が固着されている。吸入流路形成部材８は、かご室本体１の側壁の補強部材を兼ねている。吸入流路形成部材８の外側には、複数の断熱部材（図示せず）が固着されている。吸入流路形成部材８により、複数の吸入流路８ａそれぞれが互いに間隔を置いて、垂直方向に形成されている。
【００１９】
吸入流路形成部材８は、供給流路形成部材５と同様な形状でありダクト部を有している。そして、ダクト部と第２の側面部１ｂとにより、各吸入流路８ａが断面台形状に形成されている。吸入流路８ａは、吸入口１ｇから換気装置２へかご室本体１内の空気を導く空気流路である。複数の吸入流路８ａは、チューブ状の複数の吸入中継ダクト１１を介して換気装置２にそれぞれ接続されている。第２の側面部１ｂの下部には、吸入口１ｇが設けられている。
【００２０】
吸入流路８ａの上端及び下端は、蓋（図示せず）により閉塞されている。吸入流路形成部材８の上部には、ダクト排出口８ｂが設けられている。ダクト排出口８ｂは、吸入流路８ａから吸入中継ダクト１１への空気流路である。吸入流路形成部材８のダクト排出口８ｂの開口部の外側には、筒状の取付部材（図示せず）が固着されている。吸入中継ダクト１１の吸入流路８ａ側の端部は、取付部材に嵌合されている。その他の構成は、実施の形態１と同様である。
【００２１】
図５は、図４のＶ−Ｖ線に沿う断面図であり、供給流路５ａ及び吸入流路８ａの配置を示している。背面部１ｃの第１の側面部１ａ側の半面には、外側に供給流路形成部材５が固着されている。供給流路形成部材５により、複数の供給流路５ａが形成されている。また、背面部１ｃの第２の側面部１ｂ側の半面には、外側に吸入流路形成部材８が固着されている。吸入流路形成部材８により、複数の吸入流路８ａが形成されている。
【００２２】
背面部１ｃ下部の複数の吸入流路８ａに対応する位置には、複数の吸入口（図示せず）それぞれが設けられている。背面部１ｃ下部の複数の供給流路５ａに対応する位置には、複数の吹出口（図示せず）それぞれが設けられている。第１の側面部１ａ及び背面部１ｃと供給流路形成部材５とにより、供給流路５ａが断面台形状の空気流路を形成されている。第２の側面部１ｂ及び背面部１ｃと吸入流路形成部材８とにより、吸入流路８ａが断面台形状の空気流路を形成されている。
【００２３】
次に、動作について説明する。換気装置２は、かご室本体１内の空気を、吸入流路８ａと吸入中継ダクト１１とを介して吸入口１ｇから吸入して暖気流をかご室本体１へと供給し、かご室本体１内の空気を暖める。そして、暖められたかご室本体１内の空気は、かご室本体１内を上昇する。これに伴って、かご室本体１内の低温の空気は、かご室本体１内を下降して吸入口１ｇから吸入される。
【００２４】
上記のようなエレベータのかごでは、かご室本体１内の下方から上方へと上昇する暖められたかご室本体１内の空気の流れと、かご室本体１内の低温の空気の下降する流れとが形成されているので、かご室本体１内が混雑しているときでも、暖気流をかご室本体１内の全体に行き渡らせることができる。これとともに、第２の側面部１ｂ及び背面部１ｃの下部に設けられた吸入口１ｇからかご室本体１内の冷たい空気を、吸入して暖気流に変えるので、暖房効率が向上する。
【００２５】
また、第１の側面部１ａ、第２の側面部１ｂ及び背面部１ｃの外部に固着された供給流路形成部材５及び吸入流路形成部材８は、補強部材を兼ねているため、かご室本体１の強度を向上させることができる。
【００２６】
なお、実施の形態２では、複数の供給流路５ａ及び複数の吸入流路８ａが、第１の側面部１ａ、第２の側面部１ｂ及び背面部１ｃ上にそれぞれ連続して配置されていたが、複数の供給流路及び複数の吸入流路が、側壁上に隣り合ってそれぞれ交互に配置されていてもよい。これにより、供給流路と吸入流路とを流れる空気の温度が互いに異なっていても側壁の表面温度が均一化になり、側壁に触れた乗客を不快に感じさせにくくすることができる。
【００２７】
実施の形態３．
図６は、この発明の実施の形態３による供給流路５ａを示す拡大図である。図において、第１の側面部１ａの底部の内側には、供給流路５ａを通過する暖気流がかご室本体１の床面１ｅに向けて吹き出されるように、吹出口１ｈが設けられている。吹出口１ｈは、供給流路５ａの下端には、傾斜板１２が設けられている。その他の構成は、実施の形態１又は実施の形態２と同様である。
【００２８】
次に、動作について説明する。供給流路５ａを流れる暖気流は、傾斜板１２により吹出口１ｈへと誘導されて、吹出口１ｈからかご室本体１内のかご床１ｅに向けて吹き出される。
【００２９】
上記のような、エレベータのかごでは、かご床１ｅに向けて暖気流を吹き出すことにより、さらに安定して暖気流を吹き出すことができる。また、供給流路５ａの下端に傾斜板１２が設けられたことにより、供給流路５ａ内を流れる暖気流を円滑にかご室本体１内へと吹き出すことができる。さらに、乗客により吹出口１ｈを視認されにくいため、かご室本体１の内部の美観を向上することができる。
【図面の簡単な説明】
【００３０】
【図１】この発明の実施の形態１によるエレベータのかご室の断面図である。
【図２】図１の供給流路を示す拡大図である。
【図３】図１のＩＩＩ−ＩＩＩ線に沿う断面図である。
【図４】この発明の実施の形態２によるエレベータのかご室の断面図である。
【図５】図４のＶ−Ｖ線に沿う断面図である。
【図６】この発明の実施の形態３による供給流路を示す拡大図である。
【符号の説明】
【００３１】
１  かご室本体、１ａ  第１の側面部（側壁）、１ｂ  第２の側面部（側壁）、１ｃ  背面部（側壁）、１ｇ  吸入口、１ｈ  吹出口、２  換気装置（換気手段）、４  暖房機器（暖房手段）、５  供給流路形成部材、５ａ  供給流路、８  吸入流路形成部材、８ａ  吸入流路、１０  断熱部材。
【図１】
2007008605.tif 000003
【図２】
2007008605.tif 000004
【図３】
2007008605.tif 000005
【図４】
2007008605.tif 000006
【図５】
2007008605.tif 000007
【図６】
2007008605.tif 000008